(57)【要約】      （修正有）【課題】ブースターシートが、シートの外面を形成するとともに実質的に空洞である内側領域を形成するシート部分を含み、一側がシート部分の内面によって囲まれ、他側は内側領域の利用を可能にするための開口を有するシート装置を提供する。【解決手段】少なくとも１つのシートベルト係合部分がシート部分上に設けられている。シートベルト係合部分は、シートベルトと着脱可能に係合するための展開状態と、シートベルト係合部分がシート部分のシートの外面に隣接して設けられ、凹凸のある外面を形成する収容状態との間で移動可能とされている。【選択図】図１
0003183030.tif 000002
【実用新案登録請求の範囲】
【請求項１】
シートの外面を形成するとともに実質的に空洞である内側領域を形成するシート部分を含み、
一側が前記シート部分の内面によって囲まれ、他側が内側領域の利用を可能にするための開口を有するシート装置であって、
少なくとも１つのシートベルト係合部分を前記シート部分上に設けるとともに、
該シートベルト係合部分が、シートベルトと着脱可能に係合するための展開状態と、前記シートベルト係合部分が前記シート部分のシートの外面に隣接して設けられ、凹凸のある外面を形成する収容状態との間で移動可能とされているシート装置。
【請求項２】
請求項１記載の装置において、前記シートベルト係合部分が、収容状態で解除可能にロックすることができる、シート装置。
【請求項３】
請求項１または２記載の装置において、前記シートの外面が実質的に連続であり、前記凹凸のある外面が不連続であるものとする、シート装置。
【請求項４】
請求項１〜３の何れか一項に記載の装置において、前記シートの外面が実質的に滑らかであるものとする、シート装置。
【請求項５】
請求項１〜４の何れか一項に記載の装置において、更に柔軟性のあるカバー材料の外側の層を有し、前記シート部分を封入して配置する、シート装置。
【請求項６】
請求項５記載の装置において、更に前記外側の層と前記シート部分の間に設けられたカバー要素を有する、シート装置。
【請求項７】
請求項１〜６の何れか一項に記載の装置において、更に前記シート部分の内面から空洞の領域に延びる複数の強化リブを有する、シート装置。
【請求項８】
シートの外面を形成するとともに実質的に空洞である内側領域を形成するシート部分を含み、
一側が前記シート部分の内面によって囲まれ、他側は内側領域の利用を可能にするための開口を有するシート装置であって、
少なくとも１つのシートベルト係合部分を前記シート部分上に設けるとともに、
前記シートベルト係合部分がシートベルトと着脱可能に係合するための展開状態と、収容状態との間で移動可能で、
前記シートベルト係合部分が、収容状態で解除可能にロックすることができる、シート装置。
【考案の詳細な説明】
【技術分野】
【０００１】
本考案は、公開された特許文献である国際公開第2006/030243号パンフレットに開示された、車両に取付け可能な子供用ブースターシートの改良および発展形態に関するものである。
【背景技術】
【０００２】
この既知のデザインは、一方ではバックパックとして、他方では子供用ブースターシートとして機能する複合的な構成とされている。
【０００３】
この既知のデザインは、収容状態と展開状態との間で移動可能なシートベルトガイド部を備える。
【先行技術文献】
【特許文献】
【０００４】
【特許文献１】国際公開第2006/030243号パンフレット
【０００５】
子供用ブースターシートとして機能させる上で最も重要なことは、シートベルトガイドが確実に展開されることである。
【考案の概要】
【課題を解決するための手段】
【０００６】
本考案の発展形態は、シートベルトガイドを上面に収容することで座面を凹凸のある座りにくいものにし、ユーザがシートベルトガイドを展開するのを促すものである。
【０００７】
あるいは他の方法として、付加的な構成要素をカバー材料に差込む構成とすることで、座面を座りにくくするというものがある。
【０００８】
更なる発展および改良形態としては、使用中に展開した状態のシートベルトガイドを、ロック可能とし、更に固定させて、動的な使用においても動かないようにすることができるというものである。
【０００９】
動的な性能は、ブースターシートの安全機能にとって重要である。
【００１０】
更なる改良形態としては、独立して使われる、またはカバー材料内に封入された単一もしくは一組のパネルを含むカバー要素が、容器の本体に付加される。
【００１１】
更なる改良形態としては、バックパックとして使用する際に、使用に適した有効な空間を作り出すために、ブースター本体が実質的に開いている必要がある。しかしながら本体は、ブースターシートとして使用する際には構造的な要素でもあるため、板厚の範囲が限定され、高い強度が要求される。
【００１２】
その改良形態は、実質的に滑らかで座るのに適した外形を形成する外面と、また、動的使用時の圧縮応力による変形に耐えることが要求される、リブを施した内面とを含む本体部分を示す。
【図面の簡単な説明】
【００１３】
【図１】座面上部の、収容状態のシートベルトガイド部を示す図である。
【図２】ロックされた状態のシートベルトガイド部を示す図である。
【図３】シート部分の外面を示す図である。
【図４】シート部分の内面を示す図である。
【考案を実施するための形態】
【００１４】
本考案の発展形態は、シートベルトガイドを上面に収容することで座面を凹凸のある座りにくいものにし、ユーザがシートベルトガイドを展開するのを促すものである。
【００１５】
あるいは他の方法として、付加的な構成要素をカバー材料に差込む構成とすることで、座面を座りにくくするというものがある。
【００１６】
更なる発展および改良形態としては、使用中に展開した状態のシートベルトガイドを、ロック可能とし、更に固定させて、動的な使用においても動かないようにすることができるというものである。
【００１７】
動的な性能は、ブースターシートの安全機能にとって重要である。
【００１８】
更なる改良形態としては、独立して使われる、またはカバー材料内に封入された単一もしくは一組のパネルを含むカバー要素が、容器の本体に付加される。
【００１９】
更なる改良形態としては、バックパックとして使用する際に、使用に適した有効な空間を作り出すために、ブースター本体が実質的に開いている必要がある。しかしながら本体は、ブースターシートとして使用する際には構造的な要素でもあるため、板厚の範囲が限定され、高い強度が要求される。
【００２０】
その改良は、実質的に滑らかで座るのに適した外形を形成する外面と、また、動的使用時の圧縮応力による変形に耐えることが要求される、リブを施した内面とを含む本体部分を示す。
【００２１】
以下、本考案の特定の好適な機能および特徴を更に説明する。
【００２２】
可動性のシートベルトガイド部が、主な座面の上側に収容状態にあることによって、主な座面が凹凸のある面となる。
【００２３】
カバー材料および凹凸のある面を形成する部分で封止された、構造的な要素を覆うカバー材料は、座面を使用するために取外すことができる。
【００２４】
展開状態における可動性のシートベルトガイド部は、ロック可能である。
【００２５】
カバー内の構造的なシート部分は、外形を含むが、基本的に外側および上部は滑らかな面であり、また基本的に内側および下側はリブを施した構造的な面である。
【図１】
0003183030.tif 000003
【図３】
0003183030.tif 000004
【図４】
0003183030.tif 000005
【図２】
0003183030.tif 000006